(57)【要約】【課題】フリッカ知覚を効果的に抑制することが可能な画像表示装置を提供する。【解決手段】画像表示装置は、複数の画素を有し、外部から入力される画像データに規定された画像を表示面に形成する表示手段を有する。また、明るさ情報取得手段は、表示面に形成された表示画像の明るさ情報を取得し、フリッカ解析手段は、明るさ情報を解析することによって表示画像のフリッカ知覚を予測する。そして、発光特性調整手段は、フリッカ解析手段による予測に基づいて、表示画像における発光特性を調整する。これにより、環境適応的にインパルス型表示を最適化することができ、フリッカフリーを実現することが可能となる。よって、上記の画像表示装置によれば、フリッカ知覚を効果的に抑制しつつ、動画視認性を向上させることが可能となる。【選択図】図２
2008292904.tif 000002
【特許請求の範囲】
【請求項１】
複数の画素を有し、外部から入力される画像データに規定された画像を表示面に形成する表示手段と、
前記表示面に形成された表示画像の明るさ情報を取得する明るさ情報取得手段と、
前記明るさ情報取得手段によって取得された前記明るさ情報を解析することによって、前記表示画像のフリッカ知覚を予測するフリッカ解析手段と、
前記フリッカ解析手段による前記予測に基づいて、前記表示画像における発光特性を調整する発光特性調整手段と、を備えることを特徴とする画像表示装置。
【請求項２】
前記明るさ情報取得手段は、前記表示画像を撮影することによって、前記明るさ情報を取得することを特徴とする請求項１に記載の画像表示装置。
【請求項３】
前記明るさ情報取得手段は、前記表示手段が設置された環境光を撮影することによって、前記明るさ情報を取得することを特徴とする請求項１に記載の画像表示装置。
【請求項４】
前記フリッカ解析手段は、所定時間取得された前記明るさ情報のプロファイルに基づいて、前記フリッカ知覚を予測することを特徴とする請求項１乃至３のいずれか一項に記載の画像表示装置。
【請求項５】
前記フリッカ解析手段は、前記表示手段に供給される画像信号のフレーム周波数に基づいて、前記フリッカ知覚を予測することを特徴とする請求項１乃至４のいずれか一項に記載の画像表示装置。
【請求項６】
前記フリッカ解析手段は、前記表示画像が視聴される画面の視角に基づいて、前記フリッカ知覚を予測することを特徴とする請求項１乃至５のいずれか一項に記載の画像表示装置。
【請求項７】
前記発光特性調整手段は、前記フリッカ知覚が生じない範囲において単位フレームにおける前記表示画像における発光期間が、予め設定された調整範囲の中で最小となるように、当該表示画像における発光特性を調整することを特徴とする請求項１乃至６のいずれか一項に記載の画像表示装置。
【請求項８】
前記発光特性調整手段は、前記表示画像における発光特性を調整するために用いる設定値が予め記憶されたルックアップテーブルを参照して、当該表示画像における発光特性を調整することを特徴とする請求項７に記載の画像表示装置。
【請求項９】
前記発光特性調整手段は、黒表示用のデータを挿入する前記表示画像上の領域を変化させることによって、前記表示画像における発光特性を調整することを特徴とする請求項１乃至８のいずれか一項に記載の画像表示装置。
【請求項１０】
前記表示手段としての透過式液晶パネルと、
前記明るさ情報取得手段としての輝度センサと、を備え、
前記輝度センサは、前記透過式液晶パネルを透過した投射光によって前記表示面としてのスクリーンに表示された前記表示画像である投射画像の明るさ情報を取得し、
前記フリッカ解析手段は、前記明るさ情報を解析することによって、前記投射画像のフリッカ知覚を予測し、
前記発光特性調整手段は、前記予測に基づいて、前記投射画像における発光特性を調整することを特徴とする請求項１乃至９のいずれか一項に記載の画像表示装置。
【請求項１１】
請求項１乃至１０のいずれか一項に記載の画像表示装置を有することを特徴とする電子機器。
【請求項１２】
複数の画素を有し、外部から入力される画像データに規定された画像を表示面に形成する表示工程と、
前記表示面に形成された表示画像の明るさ情報を取得する明るさ情報取得工程と、
前記明るさ情報取得工程によって取得された前記明るさ情報を解析することによって、前記表示画像のフリッカ知覚を予測するフリッカ解析工程と、
前記フリッカ解析工程による前記予測に基づいて、前記表示画像における発光特性を調整する発光特性調整工程と、を備えることを特徴とする画像表示装置の駆動方法。
【発明の詳細な説明】
【技術分野】
【０００１】
本発明は、画像表示装置、その駆動方法並びに電子機器に関する。
【背景技術】
【０００２】
液晶表示装置などのホールド型表示の表示装置において、フレーム期間で同じ画像が表示されることによって、動画ぼやけが発生することが知られている。特許文献１には、画像表示期間を短くするインパルス型表示を適宜用いることによって、このような動画ぼやけを改善する技術が記載されている。
【０００３】
一方で、ＣＲＴなどのインパルス型表示の表示装置では、明暗の明滅がフリッカとして知覚され、視聴者に不快感を与えることがある。特許文献２には、表示画像の動きの量に基づいて、インパルス型表示とホールド型表示とを切り替えることによって、動画ぼやけ及びフリッカを低減する技術が記載されている。
【０００４】
【特許文献１】特開２００５−４９８１９号公報
【特許文献２】特開２００２−２８７７００号公報
【発明の開示】
【発明が解決しようとする課題】
【０００５】
ところで、本発明の発明者らは、人間のフリッカ知覚を解析する中で、表示画像の明るさやコントラストにフリッカ知覚が大きく影響されることを発見した。具体的には、発明者らは、表示画像における白黒の振幅が大きいほどフリッカが知覚されやすいこと、表示画像における白黒の切り替えが５０％程度のデューティ比（黒挿入割合）であるときにフリッカがかなり知覚されやすいこと、絶対的に明るい画像ほどフリッカが知覚されやすいこと、及びフレーム周波数が低いほどフリッカが知覚されやすいことなどを発見した。以上の知見より、本発明の発明者らは、フリッカの知覚を抑制するためには、表示画像の明るさなどの視聴環境を考慮に入れて表示画像の制御を行うことが望ましいと考えた。しかしながら、上記した特許文献１及び２に記載された技術では、視聴環境などを適切に考慮した上での、表示画像の制御は行われていない。
【０００６】
本発明は、以上の点に鑑みてなされたものであり、フリッカ知覚を効果的に抑制することが可能な画像表示装置、その駆動方法並びに電子機器を提供することを課題の一つとする。
【課題を解決するための手段】
【０００７】
本発明の１つの観点では、画像表示装置は、複数の画素を有し、外部から入力される画像データに規定された画像を表示面に形成する表示手段と、前記表示面に形成された表示画像の明るさ情報を取得する明るさ情報取得手段と、前記明るさ情報取得手段によって取得された前記明るさ情報を解析することによって、前記表示画像のフリッカ知覚を予測するフリッカ解析手段と、前記フリッカ解析手段による前記予測に基づいて、前記表示画像における発光特性を調整する発光特性調整手段と、を備えることを特徴とする。
【０００８】
上記の画像表示装置は、複数の画素を有し、外部から入力される画像データに規定された画像を表示面に形成する表示手段を有する。また、明るさ情報取得手段は、表示面に形成された表示画像の明るさ情報（輝度に相当する情報）を取得し、フリッカ解析手段は、明るさ情報を解析することによって表示画像のフリッカ知覚を予測する。この場合、フリッカ解析手段は、上記した知見を考慮に入れて、例えば表示画像における白黒の振幅や白黒の切り替えや絶対的な明るさなどに基づいて、フリッカ知覚を予測する。そして、発光特性調整手段は、フリッカ解析手段による予測に基づいて、表示画像における発光特性を調整する。これにより、視聴環境を適切に考慮に入れて、環境適応的に画像表示部の発光特性を調整することができる。したがって、環境適応的にインパルス型表示を最適化することができ、フリッカフリーを実現することが可能となる。よって、上記の画像表示装置によれば、フリッカ知覚を効果的に抑制しつつ、動画視認性を向上させることが可能となる。
【０００９】
上記の画像表示装置において、前記明るさ情報取得手段は、前記表示画像を撮影することによって、前記明るさ情報を取得することが好ましい。
【００１０】
更に、前記明るさ情報取得手段は、前記表示手段が設置された環境光を撮影することによって、前記明るさ情報を取得することが好ましい。
【００１１】
上記の画像表示装置の一態様では、前記フリッカ解析手段は、所定時間取得された前記明るさ情報のプロファイルに基づいて、前記フリッカ知覚を予測することが好ましい。
【００１２】
上記の画像表示装置の一態様では、前記フリッカ解析手段は、前記表示手段に供給される画像信号のフレーム周波数に基づいて、前記フリッカ知覚を予測する。具体的には、フリッカ解析手段は、フレーム周波数が低いほどフリッカ知覚が生じる可能性が高いと予測することが好ましい。
【００１３】
また、前記フリッカ解析手段は、前記表示画像が視聴される画面の視角に基づいて、前記フリッカ知覚を予測することが好ましい。これにより、表示画像のフリッカ知覚を精度良く予測することが可能となる。
【００１４】
上記の画像表示装置の他の一態様では、前記発光特性調整手段は、前記フリッカ知覚が生じない範囲において単位フレームにおける前記表示画像における発光期間が、予め設定された調整範囲の中で最小となるように、当該表示画像における発光特性を調整する。つまり、発光期間が短いほど動画のぼやけが生じにくいが、発光期間が短いほどフリッカが知覚されやすいという知見に基づいて、発光特性調整手段は、フリッカが知覚されないような最小の発光期間を決定する。これにより、フリッカ知覚を更に効果的に抑制しつつ、動画視認性を向上させることが可能となる。また、予め調整範囲を設定することで、発光期間を小さくすることによる明るさ低下を最小限としながら、必要十分な動画視認性の向上効果を得ることができる。
【００１５】
上記の画像表示装置において好適には、前記発光特性調整手段は、前記画像表示部の発光特性を調整するために用いる設定値が予め記憶されたルックアップテーブルを参照して、当該画像表示部の発光特性を調整する。これにより、簡便な処理によって、視聴環境に最適化されたインパルス型表示を実現することが可能となる。
【００１６】
上記の画像表示装置において、前記発光特性調整手段は、黒表示用のデータを挿入する前記表示画像上の領域を変化させることによって、前記画像表示部の発光特性を調整することが好ましい。例えば、前記発光特性調整手段は、フリッカが知覚されると予測される場合（表示画像が明るい場合など）、黒挿入割合を下げるように発光特性を調整する。これにより、効果的にフリッカ知覚を抑制することができる。これに対して、フリッカが知覚されないと予測される場合（表示画像の明るさが暗い場合など）、黒挿入割合を増やす。
【００１７】
上記の画像表示装置は、前記表示手段としての透過式液晶パネルと、前記明るさ情報取得手段としての輝度センサと、を備え、前記輝度センサは、前記透過式液晶パネルを透過した投射光によって前記表示面としてのスクリーンに表示された前記表示画像である投射画像の明るさ情報を取得し、前記フリッカ解析手段は、前記明るさ情報を解析することによって、前記投射画像のフリッカ知覚を予測し、前記発光特性調整手段は、前記予測に基づいて、前記投射画像における発光特性を調整することが好ましい。
【００１８】
更に、上記の画像表示装置は、各種の電子機器に好適に適用することができる。
【００１９】
本発明の他の観点では、画像表示装置の駆動方法は、複数の画素を有し、外部から入力される画像データに規定された画像を表示面に形成する表示工程と、前記表示面に形成された表示画像の明るさ情報を取得する明るさ情報取得工程と、前記明るさ情報取得工程によって取得された前記明るさ情報を解析することによって、前記表示画像のフリッカ知覚を予測するフリッカ解析工程と、前記フリッカ解析工程による前記予測に基づいて、前記表示画像における発光特性を調整する発光特性調整工程と、を備える。上記の画像表示装置の駆動方法によっても、フリッカ知覚を効果的に抑制しつつ、動画視認性を向上させることが可能となる。
【発明を実施するための最良の形態】
【００２０】
以下、図面を参照して本発明の好適な実施形態について説明する。
【００２１】
［第１実施形態］
まず、本発明の第１実施形態について説明する。
【００２２】
（装置構成）
図１は、第１実施形態に係る画像表示装置を適用した、液晶プロジェクタ１０００の概略構成を示すブロック図である。なお、図１は液晶プロジェクタ１０００における光学系構成を抜粋したものであり、図１においては、液晶プロジェクタ１０００を駆動する駆動回路１００（図２）については図示を省略している。
【００２３】
液晶プロジェクタ１０００は、主に、光源１１００と、ダイクロイックミラー１１０８ａ、１１０８ｂと、反射ミラー１１０６と、リレーレンズ１１２２、１１２３、１１２４と、液晶パネル１４Ｒ、１４Ｇ、１４Ｂと、クロスダイクロイックプリズム１１１２と、投射レンズ系１１１４と、輝度センサ２００と、を有する。なお、液晶プロジェクタ１０００は、液晶ライトバルブとして機能する３つの液晶パネル１４Ｒ、１４Ｇ、１４Ｂを用いた、３板式の投射型液晶装置として構成されている。
【００２４】
光源１１００は、照明装置に相当し、メタルハライド等のランプ１１０２とランプ１１０２の光を反射するリフレクタ１１０１とから構成されている。青色光・緑色光反射のダイクロイックミラー１１０８ａは、光源１１００からの白色光のうちの赤色光のみを透過させると共に、青色光と緑色光とを反射する。透過した赤色光は反射ミラー１１０６で反射され、液晶パネル１４Ｒ（以下、「赤色用液晶パネル１４Ｒ」とも呼ぶ。）に入射される。
【００２５】
一方、ダイクロイックミラー１１０８ａで反射された光のうち、緑色光は、緑色光反射のダイクロイックミラー１１０８ｂによって反射され、液晶パネル１４Ｇ（以下、「緑色用液晶パネル１４Ｇ」とも呼ぶ。）に入射される。一方、青色光は、ダイクロイックミラー１１０８ｂも透過する。青色光に対しては、光路長が緑色光、赤色光と異なるのを補償するために、入射レンズ１１２２、リレーレンズ１１２３、出射レンズ１１２４を含むリレーレンズ系からなる導光手段１１２１が設けられ、これらを介して青色光が液晶パネル１４Ｂ（以下、「青色用液晶パネル１４Ｂ」とも呼ぶ。）に入射される。
【００２６】
赤色用液晶パネル１４Ｒ、緑色用液晶パネル１４Ｇ、及び青色用液晶パネル１４Ｂは、いわゆる液晶ライトバルブとして機能する。以下では、これらを区別しないで用いる場合には、単に「液晶パネル１４」と呼ぶ。液晶パネル１４は、一対の透明なガラス基板に電気光学物質である液晶を密閉封入したものである。液晶パネル１４Ｒ，Ｇ，Ｂは、それぞれ供給された各色光ごとの画像信号に応じて入射光を変調する。なお、液晶パネル１４Ｒ，Ｇ，Ｂは、それぞれが白黒表示の液晶パネルであり、共通の液晶パネルが用いられている。
【００２７】
各液晶パネル１４により変調された３つの光はクロスダイクロイックプリズム１１１２に入射する。このプリズムは、４つの直角プリズムが貼り合わされ、その内面に赤色光を反射する誘電体多層膜と青色光を反射する誘電体多層膜とが十字状に形成されたものである。これらの誘電体多層膜によって３つの色光が合成されて、カラー画像を表す光が形成される。合成された光は、投射光学系である投射レンズ系１１１４によってスクリーン１１２０上に投射され、画像が拡大されて表示される。なお、本発明における表示手段は、上記した３つの液晶ライトバルブ１４（Ｌ／Ｖ：Light Valve）と、当該液晶ライトバルブ１４が投射する投射光によって表示部としてのスクリーン１１２０に形成された投射画像とに相当する。また、以下の記述においてスクリーン１１２０に写し出された表示画像のことを投射画像として説明する。
【００２８】
また、液晶プロジェクタ１０００は輝度センサ２００を有する。明るさ情報収集手段としての輝度センサ２００は、液晶プロジェクタ１０００の前面に設置されており、液晶プロジェクタ１０００による投射像のうち画面中心部の輝度を測定するように設置されている。なお、輝度の測定箇所は、画面中心部に限定するものではなく、投射画像の輝度を測定できる場所であれば、画面の周辺部位であっても良い。輝度センサ２００は、例えばＣＣＤ（Charge Coupled Device）やフォトダイオードによって構成される。なお、フォトダイオードなどを用いる場合には、予めキャリブレーションしておき、輝度の絶対値が得られるようにしておくことが好ましい。
【００２９】
次に、図２を参照して、前述した液晶プロジェクタ１０００を表示駆動する駆動回路について説明する。図２は、第１実施形態に係る駆動回路１００の概略構成を示すブロック図である。
【００３０】
駆動回路１００は、主に、コントローラ１０と、フレーム周波数判定部２０１と、フリッカ解析部２０２と、パラメータ生成部２０３と、ＡＤコンバータ２１０と、Ｕｓｅｒ Ｉ／Ｆコントローラ２１２と、投射レンズドライバ２１３と、記憶部２５０と、を有する。駆動回路１００は、液晶プロジェクタ１０００に搭載され、液晶プロジェクタ１０００の液晶パネル１４や投射レンズ系１１１４などを制御する。本実施形態では、駆動回路１００は、投射画像の明るさ情報（輝度）を解析することによって投射画像のフリッカ知覚を予測し、この結果に基づいて投射画像の発光特性を調整する処理を行う。なお、フレーム周波数判定部２０１、フリッカ解析部２０２、パラメータ生成部２０３、ＡＤコンバータ２１０、及びＵｓｅｒ Ｉ／Ｆコントローラ２１２、並びに記憶部２５０は、発光特性調整手段３００を構成する。
【００３１】
コントローラ１０は、基本的には、画像信号Ｄを取得し、この画像信号Ｄに基づいて赤色用液晶パネル１４Ｒ、緑色用液晶パネル１４Ｇ、及び青色用液晶パネル１４Ｂを制御する。なお、コントローラ１０は、実際には、後述する走査線駆動回路及びデータ線駆動回路を制御することによって、液晶パネル１４に対する制御を実行する。
【００３２】
フレーム周波数判定部２０１は、画像信号Ｄに含まれる垂直同期信号（垂直走査信号）の間隔を解析することによって、画像信号Ｄのフレーム周波数を判定する。そして、フレーム周波数判定部２０１は、フレーム周波数に対応する信号ｓ２をフリッカ解析部２０２に供給する。例えば、フレーム周波数判定部２０１は、フレーム周波数として６０（Ｈｚ）や５０（Ｈｚ）などを得る。
【００３３】
フリッカ解析部２０２は、液晶プロジェクタ１０００による投射画像の輝度を取得し、この輝度に基づいて投射画像におけるフリッカ知覚を解析する処理を行う。具体的には、フリッカ解析部２０２は、フレーム周波数に対応する信号ｓ２をフレーム周波数判定部２０１から取得すると共に、輝度センサ２００が検出した輝度に対応する信号ｓ３（明るさ情報に相当する情報）をＡＤコンバータ２１０から取得する。この場合、フリッカ解析部２０２は、輝度センサ２００から、輝度成分の時間変化を取得する。更に、フリッカ解析部２０２は、フリッカ解析の開始指示に対応するトリガ信号ｓ１を取得すると共に、ユーザによって設定された設定値に対応する制御信号ｓ４をＵｓｅｒ Ｉ／Ｆコントローラ２１２から取得する。トリガ信号ｓ１は、起動時や、モード切り替え時や、所定時間経過時や、ユーザ指定のタイミングなどでフリッカ解析部２０２に入力される。制御信号ｓ４は、ユーザによってフリッカ知覚の判定を行う際に用いる演算式の定数が変更された際などにおいて、フリッカ解析部２０２に入力される。例えば、ユーザによって、投射画像が視聴される画面の視角を規定する視距離が変更された場合、フリッカ知覚の判定を行う際に用いる演算式の定数が変更されることとなるため、このような視距離の情報に対応する制御信号ｓ４がフリッカ解析部２０２に入力される。
【００３４】
そして、フリッカ解析部２０２は、上記した各種の信号に基づいて投射画像に対してフリッカ解析を行い、この結果に対応する信号ｓ６をパラメータ生成部２０３に供給する。この場合、フリッカ解析部２０２は、記憶部２５０に記憶されたルックアップテーブルなどを参照して、フリッカ解析を実行する。なお、フリッカ解析部２０２は、コントローラ１０に対して制御信号ｓ５を供給することによって、内蔵パターンにより全白画像などを液晶パネル１４に出力させる。
【００３５】
パラメータ生成部２０３は、フリッカ解析部２０２によるフリッカ解析に基づいて、投射画像における発光特性を調整するための処理を行う。この場合、パラメータ生成部２０３は、フリッカ解析部２０２からフリッカ解析に対応する信号ｓ６を取得し、投射画像における発光特性を調整するための制御信号ｓ７をコントローラ１０に供給する。具体的には、パラメータ生成部２０３は、フリッカ解析部２０２によるフリッカ解析に基づいて、黒表示用のデータを挿入（以下、単に「黒挿入」とも呼ぶ。）する領域を変化させるための制御信号ｓ７をコントローラ１０に供給する。つまり、パラメータ生成部２０３は、投射画像における黒挿入割合を変化させることによって、投射画像における発光特性を調整する。
【００３６】
より詳しくは、パラメータ生成部２０３は、黒表示用のデータを書き込むスタートパルスＤＹ（液晶パネル１４の走査の開始タイミングで出力されるパルス信号）の発生タイミングを変化させることによって、黒挿入割合を調整する。即ち、前述した制御信号ｓ７は、黒表示用のデータを書き込むスタートパルスＤＹの発生タイミングを規定する信号である。つまり、パラメータ生成部２０３は、黒表示用のデータを書き込むスタートパルスＤＹの発生タイミングを、パラメータとして生成する。この場合、パラメータ生成部２０３は、フリッカ知覚が生じない範囲において、単位フレームにおける投射画像の発光期間が、予め設定された調整範囲の中で最小となるように、スタートパルスＤＹの発生タイミングを決定する。
【００３７】
Ｕｓｅｒ Ｉ／Ｆコントローラ２１２は、ユーザなどから各種の設定値を取得して、これに対応する信号をフリッカ解析部２０２及び投射レンズドライバ２１３に対して供給する。投射レンズドライバ２１３は、Ｕｓｅｒ Ｉ／Ｆコントローラ２１２から供給される信号に基づいて、投射レンズ系１１１４に対する制御を行う。
【００３８】
なお、上記した駆動回路１００は、本発明におけるフリッカ解析手段、及び発光特性調整手段として動作する。また、輝度センサ２００と、ＡＤコンバータ２１０とをセットとして明るさ情報取得手段としても良い。
【００３９】
次に、図３を参照して、液晶パネル１４を駆動する走査線駆動回路１１及びデータ線駆動回路１２の構成について具体的に説明する。図３に示すように、コントローラ１０は走査線駆動回路１１及びデータ線駆動回路１２に対する制御を行うと共に、走査線駆動回路１１及びデータ線駆動回路１２は液晶パネル１４に対する制御を行う。
【００４０】
コントローラ１０は、クロック信号ｃｌｋと、垂直走査信号ＶＳと、水平走査信号ＨＳと、画像信号Ｄとを取得する。そして、コントローラ１０は、これらの取得した信号に基づいて、スタートパルスＤＹと、走査側転送クロックＣＬＹと、データ転送クロックＣＬＸと、データ信号Ｄｓと、を生成する。スタートパルスＤＹは、走査側（Ｙ側）に対する走査の開始タイミングで出力されるパルス信号である。走査側転送クロックＣＬＹは、走査側（Ｙ側）の水平走査を規定する信号である。データ転送クロックＣＬＸは、データ線駆動回路１２へデータを転送するタイミングを規定する信号である。データ信号Ｄｓは、画像信号Ｄに対応するデータである。なお、コントローラ１０、走査線駆動回路１１、及びデータ線駆動回路１２は、その他にも各種の信号が入出力されるが、本実施形態と特に関係の無いものについては説明を省略する。
【００４１】
走査線駆動回路１１は、コントローラ１０から、スタートパルスＤＹ及び走査側転送クロックＣＬＹを取得し、液晶パネル１４の走査線１４ａに対して走査信号Ｇ１、Ｇ２、Ｇ３、…、Ｇｎを出力する。具体的には、走査線駆動回路１１は、コントローラ１０から供給されるスタートパルスＤＹを走査側転送クロックＣＬＹに従って転送し、走査線１４ａの各々に走査信号Ｇ１、Ｇ２、Ｇ３、…、Ｇｎとして順次排他的に供給するものである。データ線駆動回路１２は、コントローラ１０から、データ転送クロックＣＬＸと、データ信号Ｄｓとを取得し、液晶パネル１４のデータ線１４ｂに対してデータ信号ｄ１、ｄ２、ｄ３、…、ｄｍを出力する。
【００４２】
液晶パネル１４（赤色用液晶パネル１４Ｒ、緑色用液晶パネル１４Ｇ、及び青色用液晶パネル１４Ｂ）は、前述したように、液晶（ＬＣＤ）を含んで構成され、画像信号に規定された画像を表示する。具体的には、液晶パネル１４は、走査線１４ａと、データ線１４ｂと、画素１４ｃとを備える。詳しくは、液晶パネル１４には、ｎ本の走査線１４ａが、図３においてＸ（行）方向に延在して形成され、ｍ本のデータ線１４ｂがＹ（列）方向に沿って延在して形成されている。そして、画素１４ｃは、走査線１４ａとデータ線１４ｂとの各交差に対応して設けられて、マトリクス状に配列されている。
【００４３】
（発光特性調整処理）
以下で、第１実施形態において行われる、投射画像における発光特性を調整するための発光特性調整処理について具体的に説明する。第１実施形態では、駆動回路１００は、投射画像の輝度に基づいて投射画像に対するフリッカ解析を行い、この結果に基づいて投射画像における発光特性を調整する処理を行う。こうするのは、投射画像の明るさやコントラストは視聴環境によって変化すると言えるので、投射画像の輝度により環境適応的に発光特性を調整することが望ましいからである。このような処理を実行することにより、フリッカ知覚を効果的に抑制しつつ、動画視認性を向上させることが可能となる。
【００４４】
なお、液晶パネル１４自体は、自発光素子ではないが、光源１１００から供給される光を画像信号に応じて変調し、スクリーン１１２０に投射（表示）画像を形成することから、ここでは投射画像における輝度態様のことを「発光特性」と称して説明している。また、例えば、表示手段が有機ＥＬディスプレイのような表示面を備えた自発光素子であった場合には、本願における「発光特性」は、当該有機ＥＬディスプレイの表示面における輝度態様を示すことになる。
【００４５】
まず、フリッカ解析部２０２が実行するフリッカ解析について、具体的に説明する。フリッカ解析部２０２は、トリガ信号ｓ１を取得することによってフリッカ解析を開始する。トリガ信号ｓ１は、起動時や、モード切り替え時や、所定時間経過時や、ユーザ指定のタイミングなどでフリッカ解析部２０２に入力される。トリガ信号ｓ１が入力された際に、フリッカ解析部２０２は、コントローラ１０に対して制御信号ｓ５を供給することによって、内蔵パターンにより全白画像を液晶パネル１４に出力させる。そして、フリッカ解析部２０２は、輝度センサ２００が検出した輝度に対応する信号ｓ３を取得し、これに基づいてフーリエ解析を行う。具体的には、輝度センサ２００から出力された輝度パルスを記録し、フーリエ解析を行う。より詳しくは、フリッカ解析部２０２は、所定時間取得された輝度のプロファイルに対してフーリエ解析を行う。例えば、フリッカ解析部２０２は、１０ｋＨｚ以上の時間間隔でサンプリングを行い、２５６ｂｉｔ以上のデータに対してフーリエ解析を行う。
【００４６】
次に、フリッカ解析部２０２は、フーリエ解析の結果を用いて以下の式（１）に示す演算を行うことによって、フリッカが知覚されるか否かの判定を行う。
【００４７】
Ｆ＝ｌｏｇ１０(ａ×Ｌｕｍｂ×ＡＣ／ＤＣ)＋ｃ    式（１）
式（１）において、「Ｌｕｍ」は投射画像の平均輝度を示し、「ＤＣ」はフーリエ解析の結果得られたＤＣ成分（周波数０に対応する値）を表し、「ＡＣ」はフーリエ解析の結果得られたＡＣ成分を表す。ここで、ＡＣ成分は、フレーム周波数判定部２０１で得られたフレーム周波数（例えば６０（Ｈｚ））に対応する値である。また、式（１）中の「ａ」、「ｂ」、「ｃ」は定数であり、「ｃ」はフレーム周波数に応じて決定される値である。
【００４８】
更に、「ａ」、「ｂ」、「ｃ」は、投射画像が視聴される画面（表示画像が投射されているスクリーン上の領域も含む）の視角も考慮に入れて設定される。例えば、「ａ」、「ｂ」、「ｃ」は、投射画像が視聴される画面の視角と、「ａ」、「ｂ」、「ｃ」とが対応付けられたルックアップテーブルより得られる。なお、このルックアップテーブルは、前述した記憶部２５０に記憶されている。このように画面の視角を考慮に入れるのは、フリッカ知覚は、実際に視聴される画面の視角によっても影響を受けるものと考えられるからである。例えば、投射レンズ系１１１４の焦点距離と拡大率とから投影像の画面サイズを推定し、これに対して視距離のファクターを加えれば、投射画像が実際に視聴される画面の視角を計算することができる。この場合、視距離は、平均的な視距離として設定された値を用いることができる。また、ユーザがこのような設定値を変更した場合には、変更後の値（フリッカ解析部２０２に対して入力される制御信号ｓ４に相当する）を視距離として用いることができる。以上のように、式（１）より得られる「Ｆ」は、投射画像における白黒の振幅や、白黒の切り替えや、投射画像における絶対的な明るさや、フレーム周波数などを加味したものとなっている。つまり、「Ｆ」は、本発明の発明者らが発見したフリッカ知覚に影響を与える要因を加味した値となる。
【００４９】
そして、フリッカ解析部２０２は、上記の式（１）により得られたＦと閾値Ｔｈとを比較することによって、フリッカが知覚されるか否かの判定を行う。具体的には、フリッカ解析部２０２は、Ｆが閾値Ｔｈ以下である場合には（Ｆ≦Ｔｈ）、フリッカが知覚されないと判定し、Ｆが閾値Ｔｈよりも大きい場合には（Ｆ＞Ｔｈ）、フリッカが知覚されると判定する。例えば、輝度が大きい場合（つまり「Ｌｕｍ」が大きい場合）や、白黒の振幅が大きい場合（つまり「ＡＣ／ＤＣ」が大きい場合）には、フリッカが知覚されやすくなると言える。なお、閾値Ｔｈは予め設定された値が用いられる。
【００５０】
次に、パラメータ生成部２０３が行う発光特性の調整方法について、具体的に説明する。パラメータ生成部２０３は、フリッカ解析部２０２によるフリッカ解析に基づいて、黒表示用のデータを挿入する領域を変化させる処理（つまり、黒挿入割合を調整する処理）を行う。具体的には、パラメータ生成部２０３は、黒表示用のデータを書き込むスタートパルスＤＹの発生タイミングを変化させることによって、黒挿入割合を調整する。例えば、パラメータ生成部２０３は、前述した発明者らが発見した知見に基づいて、投射画像が明るい場合には黒挿入割合を下げる。これにより、フリッカ知覚を適切に抑制することができる。これに対して、投射画像の明るさが暗いときには、もともとフリッカが見えにくいため、黒挿入割合を増やす。
【００５１】
詳しくは、パラメータ生成部２０３は、フリッカ知覚が生じない範囲において、単位フレームにおける発光期間が、予め設定された調整範囲の中で最小となるようなスタートパルスＤＹの発生タイミングを決定する。つまり、黒挿入割合が高いほど動画のぼやけが生じにくいが、黒挿入割合が高いほどフリッカが知覚されやすいと言えるので、パラメータ生成部２０３は、フリッカが知覚されないような最大の黒挿入割合を決定する。また、予め調整範囲を設定することで、発光期間を小さくすることによる明るさ低下を最小限としながら、必要十分な動画視認性の向上効果を得ることができる。
【００５２】
詳しくは、パラメータ生成部２０３は、黒挿入割合「０」から徐々に黒挿入割合が増えていくように、黒表示用のデータを書き込むスタートパルスＤＹの発生タイミングを変化させる制御を行う。フリッカ解析部２０２は、このようにパラメータ生成部２０３が黒挿入割合を増加させている際に、設定されている黒挿入割合ごとに表示画像に対するフリッカ解析を実行する。そして、パラメータ生成部２０３は、このように黒挿入割合を増加させている間において、フリッカ解析部２０２によってフリッカが知覚されると判定された際に（つまり、「Ｆ＞Ｔｈ」となった際に）、黒挿入割合を増加させる処理を中止する。そして、パラメータ生成部２０３は、フリッカ解析部２０２によってフリッカが知覚されないと最後に判定された際の黒挿入割合を、液晶パネル１４に対して設定すべき黒挿入割合として決定する。つまり、パラメータ生成部２０３は、このような黒挿入割合が得られるスタートパルスＤＹの発生タイミングを、液晶パネル１４に対して設定すべき値として決定する。
【００５３】
次に、図４を参照して、黒挿入割合の設定方法について説明する。図４（ａ）は１垂直期間における垂直走査信号ＶＳを示し、図４（ｂ）はスタートパルスＤＹを示し、図４（ｃ）は走査側転送クロックＣＬＹを示し、図４（ｄ）は時刻Ｔ１における表示画像の一例を示している。
【００５４】
この例では、スタートパルスはＤＹ１→ＤＹ３→ＤＹ２→ＤＹ４の順で発生し、スタートパルスＤＹ１、ＤＹ２は画像表示用のスタートパルスに対応し、スタートパルスＤＹ３、ＤＹ４は黒表示用のスタートパルスに対応する（図４（ｂ）参照）。また、図４（ｄ）において、符号Ｂ１〜Ｂ４で示す位置は、時刻Ｔ１において、スタートパルスＤＹ１〜ＤＹ４によって走査線１４ａの走査が行われている位置を示している。更に、図４（ｄ）において、領域Ｒ１、Ｒ２はスタートパルスＤＹ１、ＤＹ２によってデータが書き込まれた画像表示領域を示し、領域Ｒ３、Ｒ４はスタートパルスＤＹ３、ＤＹ４によってデータが書き込まれた黒表示領域を示している。なお、この例では、液晶パネル１４に対して印加する電圧（駆動電圧）の極性を、スタートパルスＤＹ１〜ＤＹ４のタイミングで切り替えている。そのため、領域Ｒ１、Ｒ２は正極性の電圧によってデータが書き込まれた領域に対応し、領域Ｒ３、Ｒ４は負極性の電圧によってデータが書き込まれた領域に対応する。
【００５５】
図４（ｄ）から明らかなように、画像表示領域は黒表示用のデータで適宜書き換えられていると共に、黒表示領域は画像表示用のデータで適宜書き換えられていることがわかる。この場合、スタートパルスの発生タイミングによって前のデータ（以前に走査されることによって書き込まれたデータ）が書き換えられるタイミングが変わることによって、画像表示領域若しくは黒表示領域のそれぞれが占める割合が変わってくると言える。したがって、スタートパルスＤＹ３、ＤＹ４の発生タイミングを変えることにより、表示画像において黒表示領域が占める割合を変えることが可能となる。つまり、図４（ｂ）において、矢印Ａ１、Ａ２に示す方向にスタートパルスＤＹ３の発生タイミングを変えたり、矢印Ｂ１、Ｂ２に示す方向にスタートパルスＤＹ４の発生タイミングを変えたりすることにより、黒挿入割合を変化させることができる。よって、前述したように、パラメータ生成部２０３は、黒表示用のデータを書き込むスタートパルスＤＹの発生タイミングを変化させることによって、黒挿入割合を調整する。
【００５６】
次に、図５を参照して、発光特性調整処理を具体的に説明する。図５は、第１実施形態に係る発光特性調整処理を示すフローチャートである。この処理は、駆動回路１００によって実行される。なお、発光特性調整処理は、フリッカ解析部２０２にトリガ信号ｓ１が入力された際に実行される。具体的には、起動時や、モード切り替え時や、所定時間経過時や、ユーザ指定のタイミングなどで、発光特性調整処理が実行される。
【００５７】
まず、ステップＳ１０１では、駆動回路１００のフリッカ解析部２０２が、コントローラ１０を介して、内蔵パターンにより全白画像を液晶パネル１４に出力させる。そして、処理はステップＳ１０２に進む。
【００５８】
ステップＳ１０２では、駆動回路１００のパラメータ生成部２０３が、表示画像における黒挿入割合を設定する。ステップＳ１０２の処理を行うのが１回目である場合には、パラメータ生成部２０３は黒挿入割合を「０」に設定する。これに対して、ステップＳ１０２の処理を行うのが２回目以降である場合には、パラメータ生成部２０３は、前回ステップＳ１０２の処理を実行したときよりも黒挿入割合を増やす。この場合、パラメータ生成部２０３は、黒表示用のデータを書き込むスタートパルスＤＹの発生タイミングを調整することによって、所望の黒挿入割合に設定する。以上の処理が終了すると、処理はステップＳ１０３に進む。
【００５９】
ステップＳ１０３では、フリッカ解析部２０２は、輝度センサ２００より所定時間取得された輝度のプロファイルを記録する。例えば、フリッカ解析部２０２は、１０ｋＨｚ以上の時間間隔でサンプリングを行い、２５６ｂｉｔ以上のデータを記録する。そして、処理はステップＳ１０４に進む。
【００６０】
ステップＳ１０４では、フリッカ解析部２０２は、輝度のプロファイルに対してフーリエ解析を行う。この場合、フリッカ解析部２０２は、フーリエ解析を行うことによって、周波数０に対応するＤＣ成分（式（１）中の「ＤＣ」）や、フレーム周波数に対応するＡＣ成分（式（１）中の「ＡＣ」）などを得る。そして、処理はステップＳ１０５に進む。
【００６１】
ステップＳ１０５では、フリッカ解析部２０２は、現在の投射画像においてフリッカが知覚されるか否かを判定する。具体的には、フリッカ解析部２０２は、フーリエ解析の結果（ＤＣ成分やＡＣ成分）などを式（１）に代入することによって「Ｆ」を得て、このＦと閾値Ｔｈとを比較することによって、フリッカが知覚されるか否かの判定を行う。
【００６２】
フリッカ解析部２０２は、Ｆが閾値Ｔｈ以下である場合、つまり「Ｆ≦Ｔｈ」である場合、フリッカが知覚されないと判定する。この場合には（ステップＳ１０５；Ｎｏ）、処理はステップＳ１０２に戻り、パラメータ生成部２０３が、表示画像における黒挿入割合を再度設定する。具体的には、現在の黒挿入割合ではフリッカが知覚されないため、パラメータ生成部２０３は、黒挿入割合を更に増加させる処理を行う。そして、ステップＳ１０３〜ステップＳ１０５の処理を再度行う。これにより、フリッカが知覚されるまで、黒挿入割合を増加させる処理が繰り返し実行されることとなる。こうすることにより、フリッカ知覚が生じない範囲において、単位フレームにおける発光期間が、予め設定された調整範囲の中で最小となる黒挿入割合を決定することが可能となる。
【００６３】
これに対して、フリッカ解析部２０２は、Ｆが閾値Ｔｈよりも大きい場合、つまり「Ｆ＞Ｔｈ」である場合、フリッカが知覚されると判定する。この場合には（ステップＳ１０５；Ｙｅｓ）、処理はステップＳ１０６に進む。ステップＳ１０６では、パラメータ生成部２０３は、黒挿入割合を増加させる処理を中止し、フリッカ解析部２０２によってフリッカが知覚されないと最後に判定された際の黒挿入割合を、液晶パネル１４に対して設定すべき黒挿入割合として決定する。つまり、パラメータ生成部２０３は、このような黒挿入割合が得られるスタートパルスＤＹの発生タイミングを、液晶パネル１４に対して設定すべき値として決定する。以上の処理が終了すると、処理は当該フローを抜ける。
【００６４】
以上説明した発光特性調整処理によれば、視聴環境を適切に考慮に入れて、環境適応的に投射画像の発光特性を調整することができる。これにより、環境適応的にインパルス型表示を最適化することができ、フリッカフリーを実現することが可能となる。よって、フリッカ知覚を効果的に抑制しつつ、動画視認性を向上させることが可能となる。
【００６５】
［第２実施形態］
次に、本発明の第２実施形態について説明する。第２実施形態でも、フリッカ知覚を考慮して発光特性を調整する処理を行う点で、前述した第１実施形態と同様である。しかしながら、第２実施形態では、輝度のデータと黒挿入割合を規定するスタートパルスＤＹの発生タイミングとが対応付けられて予め記憶されたルックアップテーブルを参照して、黒表示用のデータを書き込むスタートパルスＤＹの発生タイミングを決定する点で、第１実施形態と異なる。具体的には、第２実施形態では、黒挿入割合を種々に変更した投射画像に対するフリッカ知覚の判定を実際に行うことなく、全白画像の輝度及び全黒画像の輝度から予測されるフリッカ知覚に基づいて黒挿入割合を決定する。詳しくは、第２実施形態では、全白画像の輝度、全黒画像の輝度、及びスタートパルスＤＹの発生タイミングが対応付けられて記憶されたルックアップテーブルを参照することによって、測定された全白画像及び全黒画像の輝度に対応するスタートパルスＤＹの発生タイミングを決定する。これにより、簡便な処理によって、視聴環境に最適化されたインパルス型表示を実現することが可能となる。
【００６６】
図６は、第２実施形態に係る駆動回路１００ａを示すブロック図である。駆動回路１００ａは、主に、コントローラ１０と、フレーム周波数判定部２０１と、フリッカ解析部２０２ａと、ＡＤコンバータ２１０と、Ｕｓｅｒ Ｉ／Ｆコントローラ２１２と、投射レンズドライバ２１３と、記憶部２５１と、を有する。駆動回路１００ａも、前述した液晶プロジェクタ１０００（図１参照）に搭載され、液晶プロジェクタ１０００の液晶パネル１４や投射レンズ系１１１４などを制御する。なお、駆動回路１００と同一の構成要素及び信号に対しては同一の符号を付し、その説明を省略するものとする。また、フレーム周波数判定部２０１、フリッカ解析部２０２ａ、ＡＤコンバータ２１０、及びＵｓｅｒ Ｉ／Ｆコントローラ２１２、並びに記憶部２５１は、発光特性調整手段３０１を構成する。
【００６７】
フリッカ解析部２０２ａは、コントローラ１０に対して制御信号ｓ８を供給することによって、内蔵パターンにより全白画像及び全黒画像（インパルス型表示の黒画像）を液晶パネル１４に出力させる。そして、フリッカ解析部２０２ａは、このような表示画像を表示した際に、輝度センサ２００が検出した輝度に対応する信号ｓ３をＡＤコンバータ２１０から取得する。次に、フリッカ解析部２０２ａは、記憶部２５１に予め記憶されたルックアップテーブルを参照して、取得された全白画像及び全黒画像の輝度に対応する、黒表示用のデータを書き込むスタートパルスＤＹの発生タイミングを決定する。そして、フリッカ解析部２０２ａは、決定されたスタートパルスＤＹの発生タイミングに対応する制御信号ｓ８をコントローラ１０に供給する。
【００６８】
上記したルックアップテーブルには、全白画像の輝度、全黒画像の輝度、及び黒表示用のデータを書き込むスタートパルスＤＹの発生タイミングが対応付けられて、記憶部２５１に記憶されている。つまり、ルックアップテーブルによれば、全白画像の輝度及び全黒画像の輝度の２次元入力として、黒表示用のデータを書き込むスタートパルスＤＹの発生タイミングが得られる。また、ルックアップテーブルは、前述した第１実施形態に示したように、黒挿入割合を種々に変更した投射画像に対してフリッカ知覚を判定することにより、種々の白画像及び黒画像の輝度に対して最適な黒挿入割合を決定することによって作成される。更に、記憶部２５１にはフレーム周波数や投射画像が視聴される画面の視角などに応じて複数のルックアップテーブルが記憶されており、フリッカ解析部２０２ａは、これらの複数のルックアップテーブルを切り替え用いることができる。
【００６９】
なお、全白画像の輝度及び全黒画像の輝度より、前述したような輝度プロファイルをフーリエ解析した結果やこれをフリッカ解析した結果などを予測することができるので、第１実施形態で示したような式（１）を用いてフリッカ解析などを行わずとも、これらの輝度によって規定されたルックアップテーブルを用いることによって、黒挿入割合を適切に決定することができると言える。
【００７０】
図７は、第２実施形態に係る発光特性調整処理を示すフローチャートである。この処理は、駆動回路１００ａによって実行される。なお、発光特性調整処理は、フリッカ解析部２０２ａにトリガ信号ｓ１が入力された際に実行される。具体的には、起動時や、モード切り替え時や、所定時間経過時や、ユーザ指定のタイミングなどで、発光特性調整処理が実行される。
【００７１】
まず、ステップＳ２０１では、駆動回路１００ａは、表示画像における黒挿入割合が「０」になるように制御を行う。つまり、黒挿入をオフにする。そして、処理はステップＳ２０２に進む。
【００７２】
ステップＳ２０２では、駆動回路１００ａのフリッカ解析部２０２ａが、コントローラ１０に対して制御信号ｓ８を供給することによって、内蔵パターンにより全白画像を液晶パネル１４に出力させる。そして、処理はステップＳ２０３に進む。ステップＳ２０３では、フリッカ解析部２０２ａは、全白画像における輝度を輝度センサ２００より取得する。そして、処理はステップＳ２０４に進む。
【００７３】
ステップＳ２０４では、フリッカ解析部２０２ａは、コントローラ１０に対して制御信号ｓ８を供給することによって、内蔵パターンにより全黒画像（インパルス型表示の黒画像）を液晶パネル１４に出力させる。そして、処理はステップＳ２０５に進む。ステップＳ２０５では、フリッカ解析部２０２ａは、全黒画像における輝度を輝度センサ２００より取得する。そして、処理はステップＳ２０６に進む。
【００７４】
ステップＳ２０６では、フリッカ解析部２０２ａは、記憶部２５１に記憶されたルックアップテーブルを参照して、得られた輝度に対応するスタートパルスＤＹの発生タイミングを得る。つまり、ルックアップテーブルを参照することによって、全白画像の輝度（ステップＳ２０３で取得される）及び全黒画像の輝度（ステップＳ２０５で取得される）を２次元入力として、黒表示用のデータを書き込むスタートパルスＤＹの発生タイミングを得る。そして、処理はステップＳ２０７に進む。
【００７５】
ステップＳ２０７では、フリッカ解析部２０２ａは、ステップＳ２０６で得られたスタートパルスＤＹの発生タイミングを、液晶パネル１４に対して設定すべき値として決定する。以上の処理が終了すると、処理は当該フローを抜ける。
【００７６】
以上説明した第２実施形態によれば、前述した第１実施形態よりも簡便な処理によって、視聴環境に最適化されたインパルス型表示を実現することが可能となる。これにより、フリッカ知覚を効果的に抑制しつつ、動画視認性を向上させることが可能となる。
【００７７】
［第３実施形態］
次に、本発明の第３実施形態について説明する。第３実施形態でも、フリッカ知覚を考慮して発光特性を調整する処理を行う点で、前述した第１実施形態及び第２実施形態と同様である。しかしながら、第３実施形態では、投射画像の輝度の代わりに、液晶パネル１４が設置された環境光（明るさ情報に相当する情報）に基づいて投射画像における発光特性を調整する点で、第１実施形態及び第２実施形態と異なる。具体的には、第３実施形態では、第１実施形態に示したように黒挿入割合を種々に変更した投射画像に対するフリッカ知覚の判定を実際に行うことなく、環境光から予測されるフリッカ知覚に基づいて黒挿入割合を決定する。詳しくは、第３実施形態では、環境光のデータと黒挿入割合を規定するスタートパルスＤＹの発生タイミングとが対応付けられて予め記憶されたルックアップテーブルを参照して、測定された環境光に対応するスタートパルスＤＹの発生タイミングを決定する。
【００７８】
第３実施形態で用いるルックアップテーブルも、前述した第１実施形態に示したように、黒挿入割合を種々に変更した投射画像に対してフリッカ知覚を判定することにより、種々の環境光に対して最適な黒挿入割合を決定することによって作成される。詳しくは、このルックアップテーブルは、予め液晶パネル１４における全白画像及び全黒画像の階調を決めておき、これに対して、環境光の値の分をオフセット加えることによって得られた値に基づいて作成される。こうしているのは、環境光の値の分をオフセット加えることによって、液晶パネル１４の全白画像及び全黒画像の値を測定しなくても予測することができるからである。なお、第３実施形態でも、フレーム周波数や投射画像が視聴される画面の視角などに応じて設定された複数のルックアップテーブルを用いることができる。
【００７９】
図８は、第３実施形態に係る発光特性調整処理を示すフローチャートである。この処理は、前述した駆動回路１００ａ（図６参照）によって実行される。なお、発光特性調整処理は、フリッカ解析部２０２ａにトリガ信号ｓ１が入力された際に実行される。具体的には、起動時や、モード切り替え時や、所定時間経過時や、ユーザ指定のタイミングなどで、発光特性調整処理が実行される。また、第３実施形態では、記憶部２５１（図６参照）には、環境光の強度と、黒表示用のデータを書き込むスタートパルスＤＹの発生タイミングとが対応付けられたルックアップテーブルが記憶されている。
【００８０】
まず、ステップＳ３０１では、フリッカ解析部２０２ａは、環境光を取得する。具体的には、フリッカ解析部２０２ａは、前述した輝度センサ２００等から環境光の強度（輝度）を取得する。そして、処理はステップＳ３０２に進む。
【００８１】
ステップＳ３０２では、フリッカ解析部２０２ａは、記憶部２５１に記憶されたルックアップテーブルを参照して、ステップＳ３０１で取得された環境光の強度に対応する、黒表示用のデータを書き込むスタートパルスＤＹの発生タイミングを得る。そして、処理はステップＳ３０３に進む。
【００８２】
ステップＳ３０３では、フリッカ解析部２０２ａは、ステップＳ３０２で得られたスタートパルスＤＹの発生タイミングを、液晶パネル１４に対して設定すべき値として決定する。以上の処理が終了すると、処理は当該フローを抜ける。
【００８３】
以上説明した第３実施形態によれば、前述した第２実施形態よりも更に簡便な処理によって、視聴環境に最適化されたインパルス型表示を実現することが可能となる。
【００８４】
［変形例］
以下、本発明の変形例について説明する。
【００８５】
前述した第１〜３実施形態においては、画像表示装置であるプロジェクタ１０００は、３枚の液晶パネル１４を備えた３板式プロジェクタであるものとして説明したが、例えば、１枚の透過式液晶パネルによってカラー画像を投射する単板式のプロジェクタであっても良い。
【００８６】
また、プロジェクタ１０００の光変調素子である液晶パネル１４は、透過式の液晶ライトバルブであるものとして説明したが、これに限定するものではない。例えば、反射式液晶パネルの一種であるＬＣＯＳ（Liquid Crystal On Silicon）を光変調素子として用いる構成であっても良い。なお、この場合、プロジェクタ１０００の光学系は、ＬＣＯＳに合わせた構成とする必要がある。
【００８７】
本発明は、液晶プロジェクタに対する適用に限定はされず、液晶テレビのような表示面を備えた画像表示装置に対しても適用することができる。この場合、明るさ情報（輝度）を取得するセンサは、例えば、液晶テレビの画面の下に突出して配置されたり、或いは、テレビのリモコンに設置されていて、使用者による操作があった場合にパラメータ設定がなされる。
【００８８】
また、本発明は、黒挿入駆動によってインパルス型表示を実現する画像表示部に対する適用に限定はされず、光源を点消灯するスキャンバックライト方式の画像表示部に対しても適用することができる。この場合には、前述したようにしてフリッカ知覚を考慮に入れて、照明のオン／オフを変えることによって、表示画像における発光特性が調整される。
【００８９】
更に、本発明は、照度センサを備えた直視型ディスプレイにも適用することができる。この場合、環境照度に対するディスプレイ輝度のフーリエ解析を予め行っておくことが望ましい。
【００９０】
また、上記では、本発明を液晶プロジェクタ１０００に適用した実施形態を示したが、これに限定はされない。つまり、他の電子機器に対しても、本発明を適用することができる。例えば、液晶テレビや、携帯電話や、パーソナルコンピュータ（いわゆるノート型パソコン）などのホールド表示型の電子機器に適用することができる。
【００９１】
これらの変形例における構成であっても、第１〜３実施形態における作用効果と同等の作用および効果を得ることができる。
【図面の簡単な説明】
【００９２】
【図１】液晶プロジェクタの概略構成を示すブロック図である。
【図２】第１実施形態に係る駆動回路の概略構成を示すブロック図である。
【図３】走査線駆動回路、データ線駆動回路、及び液晶パネルの概略構成を示す図である。
【図４】黒挿入割合の設定方法について説明するための図である。
【図５】第１実施形態に係る発光特性調整処理を示すフローチャートである。
【図６】第２実施形態に係る駆動回路の概略構成を示すブロック図である。
【図７】第３実施形態に係る発光特性調整処理を示すフローチャートである。
【図８】第４実施形態に係る発光特性調整処理を示すフローチャートである。
【符号の説明】
【００９３】
１０  コントローラ、  １１  走査線駆動回路、  １２  データ線駆動回路、  １４  液晶パネル、  １４ａ  走査線、  １４ｂ  データ線、  １４ｃ  画素、  １００  駆動回路、  ２００  輝度センサ、  ２０２  フリッカ解析部、  ２０３  パラメータ生成部、  １０００  液晶プロジェクタ
【図１】
2008292904.tif 000003
【図２】
2008292904.tif 000004
【図３】
2008292904.tif 000005
【図４】
2008292904.tif 000006
【図５】
2008292904.tif 000007
【図６】
2008292904.tif 000008
【図７】
2008292904.tif 000009
【図８】
2008292904.tif 000010